(57)【要約】【課題】本発明は、コネクタを保護するのに用いられ、他の物品又はコネクタ自体の破損を招くことを回避することが可能な、保護カバーを有する複合型接続装置を提供することを課題とする。【解決手段】本発明に係る保護カバーを有する複合型接続装置は、挿入接続部を有する第１のコネクタと、第１のコネクタに選択的に被せられるカバー体を有し、第１のコネクタに移動可能に設けられる保護カバーとを含む。これにより、コネクタを保護するのに用いることができ、他の物品又はコネクタ自体の破損を招くことを回避することができる。【選択図】図１
2014120467.tif 000002
【特許請求の範囲】
【請求項１】
挿入接続部を有する第１のコネクタと、
前記第１のコネクタに選択的に被せられるカバー体を有し、前記第１のコネクタに移動可能に設けられる保護カバーと、
を含むことを特徴とする保護カバーを有する複合型接続装置。
【請求項２】
前記保護カバーの前記カバー体は、少なくとも前記第１のコネクタの局部の領域又は前記第１のコネクタの挿入接続部に選択的に被せられることを特徴とする請求項１に記載の保護カバーを有する複合型接続装置。
【請求項３】
前記保護カバーは、前記第１のコネクタに移動可能に設置される二つの結合アームを備えることを特徴とする請求項１に記載の保護カバーを有する複合型接続装置。
【請求項４】
前記２つの結合アームは前記保護カバーの前記カバー体の内部に摺動するよう組み合わされることを特徴とする請求項３に記載の保護カバーを有する複合型接続装置。
【請求項５】
第２のコネクタと第３のコネクタとを有し、前記第２のコネクタと前記第３のコネクタとの間が電気的に接続され、前記第２のコネクタと前記第１のコネクタとが選択的に電気的に接続され、前記第３のコネクタが前記保護カバーの前記カバー体の外部に露出される若しくは前記保護カバーの前記カバー体内に収容される、アダプターを更に含むことを特徴とする請求項１に記載の保護カバーを有する複合型接続装置。
【請求項６】
前記保護カバーの前記カバー体の頂部及び底部のそれぞれには、上下にスイング可能な押圧部が設けられていることを特徴とする請求項５に記載の保護カバーを有する複合型接続装置。
【請求項７】
２つの前記押圧部の外側のそれぞれには、滑り止め面が設けられ、
２つの前記押圧部の内側と前記アダプターの頂部及び底部との間には、相互に係合接続される係合接続構造が設けられていることを特徴とする請求項６に記載の保護カバーを有する複合型接続装置。
【請求項８】
前記アダプターは、前記第３のコネクタの外部に選択的に被せられる防護カバーを備えることを特徴とする請求項５に記載の保護カバーを有する複合型接続装置。
【請求項９】
前記保護カバーは、前記カバー体の前端に被せられる防護カバーを備えることを特徴とする請求項５に記載の保護カバーを有する複合型接続装置。
【請求項１０】
前記保護カバーは、前記アダプターに移動可能に設置される２つの延伸アームを備えることを特徴とする請求項５に記載の保護カバーを有する複合型接続装置。
【請求項１１】
前記保護カバーの前記２つの延伸アームの内側には枢支接続部がそれぞれ形成され、
前記アダプターの両側には前記保護カバーの前記２つの延伸アームの前記枢支接続部と対応する摺動溝がそれぞれ形成され、
前記保護カバーの前記２つの延伸アームの枢支接続部と前記アダプターの前記摺動溝とが摺動するよう組み合わされることを特徴とする請求項１０に記載の保護カバーを有する複合型接続装置。
【請求項１２】
前記第１のコネクタがケーブルに電気的に接続され、前記第１のコネクタの後端にはケーブルクランプが設けられており、前記ケーブルクランプが前記ケーブルに固定され、前記ケーブルクランプの両側には摺動溝が形成されており、前記保護カバーが２つの結合アームを有し、前記２つの結合アームの内側にはそれぞれ枢支接続部が形成されており、前記２つの結合アームの前記枢支接続部と前記ケーブルクランプの両側の前記摺動溝とが摺動するよう組み合わされることを特徴とする請求項１に記載の保護カバーを有する複合型接続装置。
【請求項１３】
前記第１のコネクタがケーブルに電気的に接続され、前記第１のコネクタの後端にはケーブルクランプが設けられており、前記ケーブルクランプが前記ケーブルに固定され、前記ケーブルクランプの両側には枢支接続部が形成されており、前記保護カバーが２つの結合アームを有し、前記２つの結合アームの内側にはそれぞれ摺動溝が形成されており、前記２つの結合アームの前記摺動溝と前記ケーブルクランプの両側の前記枢支接続部とが摺動するよう組み合わされることを特徴とする請求項１に記載の保護カバーを有する複合型接続装置。
【請求項１４】
前記第１のコネクタは、独立で移動可能な第１のモジュール及び第２のモジュールを備えることを特徴とする請求項１に記載の保護カバーを有する複合型接続装置。
【請求項１５】
電気的に接続される２つのコネクタを有するアダプターと、
前記アダプターに選択的に被せられるカバー体を有し、前記アダプターに移動可能に設けられる保護カバーと、
を含むことを特徴とする保護カバーを有する複合型接続装置。
【請求項１６】
前記アダプターは、前記アダプターにおける前記２つのコネクタのうちの１つのコネクタに選択的に被せられる防護カバーを更に備えることを特徴とする請求項１５に記載の保護カバーを有する複合型接続装置。
【請求項１７】
前記保護カバーは、前記カバー体の前端に被せられる防護カバーを備えることを特徴とする請求項１５に記載の保護カバーを有する複合型接続装置。
【請求項１８】
前記保護カバーは、前記アダプターに移動可能に設置される２つの延伸アームを備えることを特徴とする請求項１５に記載の保護カバーを有する複合型接続装置。
【請求項１９】
前記保護カバーの前記２つの延伸アームの内側には枢支接続部がそれぞれ形成され、
前記アダプターの両側には、前記保護カバーの前記２つの延伸アームの前記枢支接続部と対応する摺動溝がそれぞれ形成され、
前記保護カバーの前記２つの延伸アームの前記枢支接続部と前記アダプターの前記摺動溝とが摺動するよう組み合わされることを特徴とする請求項１８に記載の保護カバーを有する複合型接続装置。
【発明の詳細な説明】
【技術分野】
【０００１】
本発明は、保護カバーを有する複合型接続装置に関し、特に好ましい保護效果を有する複合型接続装置に関する。
【背景技術】
【０００２】
従来のコネクタは、電子信号と電源に用いられる接続素子及びその付属部品であり、その主な機能は各種製品同士のブリッジを提供すること及び信号の正確な伝送を確保することである。従来のコネクタは、各種異なる型式及び構造があり、コンピューター、コンピューター周辺機器、工業機器、電気通信、通信、自動車、運輸、家電及び医療等の製品に適用される。
【０００３】
従来のコネクタの多くは、絶縁本体及び絶縁本体に設けられた複数の端子を備える。コネクタを使用しない場合、絶縁本体及び複数の端子は外部に曝されることで、他の物品との接触による擦過傷が生じやすく、絶縁本体及び端子の破損を招く問題があった。また、絶縁本体及び複数の端子は外部に曝されることで、他の物品に引っ掛かりやすく、他の物品又はコネクタ自体の破損を招く問題があった。
【発明の概要】
【発明が解決しようとする課題】
【０００４】
本発明は、コネクタを保護するのに用いられ、他の物品又はコネクタ自体の破損を招くことを回避することが可能な、保護カバーを有する複合型接続装置を提供することを課題とする。
【課題を解決するための手段】
【０００５】
上述した課題を解決するために、本発明は、挿入接続部を有する第１のコネクタと、第１のコネクタに選択的に被せられるカバー体を有し、第１のコネクタに移動可能に設けられる保護カバーとを含む、保護カバーを有する複合型接続装置を提供する。
【０００６】
本発明は、電気的に接続される２つのコネクタを有するアダプターと、アダプターに選択的に被せられるカバー体を有し、アダプターに移動可能に設けられる保護カバーとを含む、保護カバーを有する複合型接続装置を更に提供する。
【０００７】
第２のコネクタと第３のコネクタとを有し、前記第２のコネクタと前記第３のコネクタとの間が電気的に接続され、前記第２のコネクタと前記第１のコネクタとが選択的に電気的に接続され、前記第３のコネクタが前記保護カバーの前記カバー体の外部に露出される若しくは前記保護カバーの前記カバー体内に収容される、アダプターを更に含む。
【０００８】
前記アダプターは、前記第３のコネクタに選択的に被せられる回動可能な防護カバーを更に含む。
【発明の効果】
【０００９】
本発明において、保護カバーは第１のコネクタに移動可能に設けられ、保護カバーのカバー体は第１のコネクタ外面に選択的に被せられるため、第１のコネクタの挿入接続部等の部位を保護するのに用いることができ、他の物品又は第１のコネクタ自体の破損を招くことを回避することができる。
【００１０】
本発明の防護カバーによれば、アダプターに防塵機能及び耐擦傷機能を与えることができるため、アダプターの破損を回避することができる。
【図面の簡単な説明】
【００１１】
【図１】本発明の第１の実施例に係る保護カバーを有する複合型接続装置の立体分解図である。
【図２】本発明の第１の実施例に係る保護カバーを有する複合型接続装置の他の立体分解図である。
【図３】本発明の第１の実施例に係る保護カバーを有する複合型接続装置の立体図である。
【図４】本発明の第２の実施例に係る保護カバーを有する複合型接続装置の立体分解図である。
【図５】本発明の第３の実施例に係る保護カバーを有する複合型接続装置の立体分解図である。
【図６】本発明の第４の実施例に係る保護カバーを有する複合型接続装置の立体分解図である。
【図７】本発明の第４の実施例に係る保護カバーを有する複合型接続装置の立体図である。
【図８】本発明の第５の実施例に係る保護カバーを有する複合型接続装置の立体分解図である。
【図９】本発明の第５の実施例に係る保護カバーを有する複合型接続装置の立体図である。
【図１０】本発明の第６の実施例に係る保護カバーを有する複合型接続装置の立体分解図である。
【図１１】本発明の第７の実施例に係る保護カバーを有する複合型接続装置の局部構造の立体図である。
【図１２】本発明の第８の実施例に係る保護カバーを有する複合型接続装置の局部構造の立体図である。
【図１３】本発明の第１の実施例に係る保護カバーを有する複合型接続装置の断面図（一）である。
【図１４】本発明の第１の実施例に係る保護カバーを有する複合型接続装置の断面図（二）である。
【図１５】本発明の第９の実施例に係る保護カバーを有する複合型接続装置の局部構造の立体図である。
【図１６】本発明の第１０の実施例に係る保護カバーを有する複合型接続装置の立体分解図である。
【図１７】本発明の第１１の実施例に係る保護カバーを有する複合型接続装置の立体分解図である。
【図１８】本発明の第１２の実施例に係る保護カバーを有する複合型接続装置の立体分解図である。
【図１９】本発明の第１３の実施例に係る保護カバーを有する複合型接続装置の立体分解図である。
【図２０】本発明の第１３の実施例に係る保護カバーを有する複合型接続装置の立体分解図である。
【図２１】本発明の第１３の実施例に係る保護カバーを有する複合型接続装置の立体図である。
【図２２】本発明の第１４の実施例に係る保護カバーを有する複合型接続装置の立体図である。
【図２３】本発明の第１４の実施例に係る保護カバーを有する複合型接続装置の他の使用状態の立体図である。
【図２４】本発明の第１５の実施例に係る保護カバーを有する複合型接続装置の立体分解図である。
【発明を実施するための形態】
【００１２】
本発明の特徴及び技術内容をより深く理解することができるように、以下、本発明について図面を参照しながら詳細に説明する。但し、これら図面は本発明の参考と説明のために提供するものに過ぎず、本発明について何ら制限するものではない。
【実施例】
【００１３】
＜第１の実施例＞
図１乃至図３に示すように、本発明に係る保護カバーを有する複合型接続装置は、第１のコネクタ１及び保護カバー２を含む。第１のコネクタ１の型式及び構造は制限されない。第１のコネクタ１は、ＵＳＢコネクタ、ＩＥＥＥ１３９４コネクタ、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ、高解像度マルチメディアインターフェース）コネクタ、ディスプレイポート（ＤＩＳＰＬＡＹ  ＰＯＲＴ）コネクタ、ＲＪコネクタ、ＡＶ端子、ＤＣ端子又はｉＰｈｏｎｅコネクタ等の各種型式の電気コネクタであってもよい。本実施例において、第１のコネクタ１は、Ｍｉｃｒｏ  ＵＳＢ２．０コネクタである。第１のコネクタ１は、ケーブル４又は他の装置に電気的に接続されることができる。ケーブル４は、平角線又は丸線等であってもよいが、それらに限定されない。上述した第１のコネクタ１の構造は従来の技術に属するため、詳しい説明は省略する。
【００１４】
保護カバー２は、プラスチック又は金属等の材質からなるが、保護カバー２の材質はこれらに限定されない。保護カバー２は、中空状のカバー体２１を有する。保護カバー２は、第１のコネクタ１に移動可能に設けられる。保護カバー２のカバー体２１は、第１のコネクタ１に選択的に被せられる。即ち、保護カバー２のカバー体２１は、選択的に少なくとも第１のコネクタ１の局部の領域（例えば挿入接続部１１）に被せられることができる。保護カバー２のカバー体２１は、選択的に第１のコネクタ１に被せられないようにすることもできる。
【００１５】
保護カバー２の形状及び構造は制限されず、第１のコネクタ１の外形及び構造に応じて適宜変更することができる。本実施例において、カバー体２１は、第１のコネクタ１の挿入接続部１１に対応してほぼ方形の中空体をなし、カバー体２１の寸法は、挿入接続部１１の寸法よりも大きい。即ち、カバー体２１の高さ、幅さ及び長さがいずれも挿入接続部１１の高さ、幅さ及び長さよりも大きいため、挿入接続部１１とカバー体２１との間に適当な空隙が形成されるように挿入接続部１１をカバー体２１内に選択的に収容することができる。
【００１６】
本実施例において、保護カバー２は、第１のコネクタ１に移動可能に設けられる２つの結合アーム２２を有する。２つの結合アーム２２は、カバー体２１の両側から延在して形成される。２つの結合アーム２２とカバー体２１との間は、固定接続又は枢支回転接続を形成する。本実施例の２つの結合アーム２２とカバー体２１との間は、一体成形の固定接続を形成する。２つの結合アーム２２の内側にはそれぞれ枢支接続部２３が形成されている。枢支接続部２３は、枢軸等の構造であってもよい。一方、第１のコネクタ１の両側には枢支接続部２３と対応する摺動溝１２が形成されている。保護カバー２の枢支接続部２３と第１のコネクタ１の摺動溝１２とが摺動するよう組み合わされることによって、保護カバー２は第１のコネクタ１に移動可能に設けられる。保護カバー２の枢支接続部２３と第１のコネクタ１の摺動溝１２との間が摺動するよう組み合わされることによって、第１のコネクタ１は、２つの結合アーム２２の間を移動することができ、且つ異なる方向に回動することができる。
【００１７】
図３及び図１３に示すように、保護カバー２の枢支接続部２３は第１のコネクタ１の摺動溝１２の後端箇所まで摺動することによって、保護カバー２のカバー体２１を第１のコネクタ１の挿入接続部１１外面に被せることができる。また、保護カバー２の２つの結合アーム２２によって第１のコネクタ１の両側が被覆される。これにより、第１のコネクタ１を保護することができる。保護カバー２の枢支接続部２３は第１のコネクタ１の摺動溝１２の先端箇所まで摺動して（図１４を参照）、更に保護カバー２を異なる方向に回動させることができる。このようにして、第１のコネクタ１の挿入接続部１１は、対向接続されるコネクタと相互に挿入接続されるように露出されることができる。
【００１８】
図１乃至図３に示すように、本発明に係る保護カバーを有する複合型接続装置は、アダプター３を更に含む。アダプター３は、第２のコネクタ３１及び第３のコネクタ３２を有する。第２のコネクタ３１と第３のコネクタ３２との間は電気的に接続される。第２のコネクタ３１と第３のコネクタ３２とは回路基板３３又はその他の導電素子を介して適切に電気的に接続される。第２のコネクタ３１及び第３のコネクタ３２の型式及び構造は制限されず、ＵＳＢコネクタ、ＩＥＥＥ１３９４コネクタ、ＨＤＭＩ（登録商標）コネクタ、ディスプレイポートコネクタ、ＲＪコネクタ、ＡＶ端子、ＤＣ端子又はｉＰｈｏｎｅコネクタ等の各種型式の電気コネクタであってもよい。第２のコネクタ３１と第１のコネクタ１とは互いに対応する電気コネクタである。本実施例において、第２のコネクタ３１は、Ｍｉｃｒｏ  ＵＳＢ２．０コネクタである。第２のコネクタ３１及び第３のコネクタ３２の外部は、ハウジング３４によって被覆される。
【００１９】
第２のコネクタ３１と第１のコネクタ１とは、選択的に相互に挿入接続されることで電気的接続が達成される。第２のコネクタ３１と第１のコネクタ１とが相互に挿入接続されると、アダプター３は第１のコネクタ１との電気的接続を達成する。これにより、第１のコネクタ１は、アダプター３の第３のコネクタ３２を介して、対向接続されるコネクタに挿入接続されることができる。図３及び図１３に示すように、保護カバー２の枢支接続部２３が第１のコネクタ１の摺動溝１２の後端箇所まで摺動することによって、対向接続されるコネクタに挿入接続されるように、第３のコネクタ３２を保護カバー２のカバー体２１の外部に露出させることができる。保護カバー２の枢支接続部２３は第１のコネクタ１の摺動溝１２の先端箇所まで摺動することによって（図は省略）、第３のコネクタ３２を保護するように第３のコネクタ３２を保護カバー２のカバー体２１内部に収容させることができる。
【００２０】
保護カバー２のカバー体２１の頂部及び底部のそれぞれには、上下にスイング可能な押圧部２４が設けられてもよい。本実施例において、押圧部２４の周囲にＵ字形を呈する切断溝２４１が形成されていることにより、押圧部２４は上下にスイング可能な板体として形成される。更に押圧部２４の外側には、凹凸状の滑り止め面２５が設けられている。ユーザがアダプター３と第１のコネクタ１とを分離させようとする場合、ユーザが２つの手指でカバー体２１の２つの押圧部２４を押圧すると、２つの押圧部２４の内側が直ちにアダプター３の頂部及び底部に突き当たり、これにより２つの押圧部２４によってアダプター３が挟持固定され、保護カバー２とアダプター３とが同期して移動することが可能となる。このようにして、保護カバー２とアダプター３とが第１のコネクタ１から離れる方向に移動することで、アダプター３の第２のコネクタ３１と第１のコネクタ１とを分離させる（図１４を参照）。
【００２１】
上述した２つの押圧部２４の内側は、アダプター３の頂部及び底部に選択的に突き当たる。また、２つの押圧部２４の内側とアダプター３の頂部及び底部との間に係合接続構造２７及び係合接続構造３５を更に設けることによって、２つの押圧部２４が押圧された時に、係合接続構造２７及び係合接続構造３５が相互に係合接続することで、２つの押圧部２４の内側がアダプター３の頂部及び底部に対しより強固に突き当たることができるようにすることも可能である。係合接続構造２７及び係合接続構造３５は、相互に対応する凸体であってもよく、相互に対応する凸体と凹体などの構造であってもよい。
【００２２】
＜第２の実施例＞
図４に示すように、本実施例の保護カバー２の２つの結合アーム２２の内側には摺動溝２６がそれぞれ形成されている。一方、第１のコネクタ１の両側には摺動溝２６と対応する枢支接続部１３がそれぞれ形成されている。保護カバー２の摺動溝２６と第１のコネクタ１の枢支接続部１３とは摺動するよう組み合わされることによって、第１のコネクタ１を２つの結合アーム２２の間で移動させると共に異なる方向に回動させることができる。本実施例の操作方式及び効果は、上述した実施例とほぼ同じであるため、詳しい説明は省略する。
【００２３】
＜第３の実施例＞
図５に示すように、本実施例の２つの結合アーム２２とカバー体２１との間は枢支回転接続を形成する。即ち、２つの結合アーム２２はカバー体２１に枢支接続され、２つの結合アーム２２はカバー体２１に対して回動することができる。
【００２４】
＜第４の実施例＞
図６及び図７に示すように、本実施例に係る保護カバーを有する複合型接続装置は、第１のコネクタ１及び保護カバー２を含む。上述した各実施例との主な相違点は、本実施例において、第１のコネクタ１の後端にケーブルクランプ１４が更に設けられていることである。ケーブルクランプ１４は、ケーブル４に固定されるが、ケーブルクランプ１４の構造及び固定方式は制限されない。本実施例において、ケーブルクランプ１４は、互いに接続する２つの蓋体１４１を有する。２つの蓋体１４１の互いに隣接する面にはケーブル溝１４２がそれぞれ設けられている。ケーブル溝１４２の内壁には凸起状を呈する複数の干渉部１４３が設けられていてもよい。ケーブルクランプ１４の２つの蓋体１４１は閉じ合わせることができる。２つの蓋体１４１が閉じ合わされた後、係合接続、粘着接続、又は螺合接続等の方式で固定することができる。ケーブルクランプ１４が第１のコネクタ１の後端のケーブル４を挟持固定することで、ケーブル４が２つの蓋体１４１のケーブル溝１４２内に収容されるとともに、複数の干渉部１４３がケーブル４に食い込むことを利用して、ケーブルクランプ１４がケーブル４をしっかりと挟持する。
【００２５】
ケーブルクランプ１４の両側には保護カバー２の枢支接続部２３と対応する摺動溝１４４が形成されている。保護カバー２の枢支接続部２３とケーブルクランプ１４の摺動溝１４４とが摺動するよう組み合わされることによって、保護カバー２が第１のコネクタ１に移動可能に設けられる。保護カバー２の枢支接続部２３とケーブルクランプ１４の摺動溝１４４との間が摺動するよう組み合わされることによって、第１のコネクタ１は、２つの結合アーム２２の間を移動すると共に異なる方向に回動することができる。
【００２６】
保護カバー２の枢支接続部２３は、ケーブルクランプ１４の摺動溝１４４の先端箇所まで回動することによって（図は省略）、保護カバー２のカバー体２１を第１のコネクタ１の挿入接続部１１外面に被せることができる。また、保護カバー２の枢支接続部２３は第１のコネクタ１の摺動溝１２の後端箇所まで摺動することによって（図７を参照）、対向接続されるコネクタと相互に挿入接続されるように第１のコネクタ１の挿入接続部１１を露出させることができる。
【００２７】
＜第５の実施例＞
図８及び図９に示すように、本実施例に係る保護カバーを有する複合型接続装置は、第１のコネクタ１及び保護カバー２を含む。上述した各実施例との主な相違点は、本実施例において、第１のコネクタ１及び保護カバー２の外形が例えば円柱状などのようにやや変更されていることである。本実施例の操作方式及び効果は、上述した実施例とほぼ同じであるため、詳しい説明は省略する。
【００２８】
＜第６の実施例＞
図１０に示すように、本実施例の第１のコネクタ１は、更に２つのアダプター５及びアダプター６に接続される。アダプター５及びアダプター６もコネクタ装置と見做すことができる。アダプター５及びアダプター６のそれぞれは、電気的に接続される２つのコネクタ（図示せず）を有する。第１のコネクタ１と２つのアダプター５及びアダプター６とは、相互に挿入接続されることで電気的接続が達成される。アダプター５は、２つの結合アーム５１を有する。２つの結合アーム５１の内側にはそれぞれ枢支接続部５２が形成されている。２つの枢支接続部５２と第１のコネクタ１の両側の摺動溝１２とは摺動するよう組み合わされる。保護カバー２の２つの枢支接続部２３とアダプター５の両側の摺動溝５３とが摺動するよう組み合わされることによって、保護カバー２がアダプター５に移動可能に設けられる。保護カバー２のカバー体２１は、アダプター５及びアダプター６に選択的に被せられる。
【００２９】
＜第７、第８の実施例＞
図１１及び図１２に示すように、本実施例の２つの結合アーム２２の一端は、カバー体２１に挿入接続されて固定され、且つ２つの結合アーム２２の間は接続バー２８によって接続されるようにしてもよい。２つの結合アーム２２の一端はカバー体２１の対応する挿入孔２１１内に挿入接続されて固定されてもよい。また、挿入孔２１１の内壁には結合アーム２２をスナップフィットによって固定するためのスナップフィット部２１２が更に突出して設けられていてもよい。
【００３０】
＜第９の実施例＞
図１５に示すように、本実施例の結合アーム２２のそれぞれは、相互に枢支接続する第一部分２２１及び第二部分２２２を有しており、それによって保護カバー２の２つの結合アーム２２を異なる角度に折り曲げることができる。
【００３１】
＜第１０の実施例＞
図１６に示すように、本実施例において、第１のコネクタ１と第２のコネクタ３１は、相互に対応するＭｉｃｒｏ  ＵＳＢ３．０コネクタである。
【００３２】
＜第１１の実施例＞
図１７に示すように、本実施例において、アダプター５の前端のコネクタ５４及びアダプター５の後端のコネクタ６１は、相互に対応するＭｉｃｒｏ  ＵＳＢ３．０コネクタである。また、第１のコネクタ１は、８ピン（ｐｉｎ）以上の電気コネクタであってもよい。
【００３３】
＜第１２の実施例＞
図１８及び図１９に示すように、本実施例において、アダプター３は防護カバー３６を更に備える。防護カバー３６は、軟性又は弾性を有するプラスチック材料で製作したものであってもよい。防護カバー３６は、アダプター３のハウジング３４又は他の部位に回動可能に接続される。防護カバー３６は、第３のコネクタ３２の外部に選択的に被せられる。防護カバー３６は、枢支軸、回転軸又はヒンジなどの枢支接続構造によりアダプター３に接続されるようにしてもよい。防護カバー３６はアダプター３に一体成形に接続されるようにしてもよい。本実施例において、防護カバー３６は、可撓性接続部３７を介してアダプター３に一体成形に接続される。第３のコネクタ３２を使用しようとする場合、第３のコネクタ３２から離れるように防護カバー３６を上向きに開けることによって、対向接続するコネクタと相互に挿入接続することができるように第３のコネクタ３２を露出させる。一方、第３のコネクタ３２を使用しない場合、防護カバー３６を第３のコネクタ３２に被せる。防護カバー３６が第３のコネクタ３２の端子外部に被せられることによって、第３のコネクタ３に防塵機能及び耐擦傷機能などの機能を与えることができる。
【００３４】
また、図１８に示すように、本実施例において、第１のコネクタ１はＵＳＢ３．０マイクロＢ（Ｍｉｃｒｏ−Ｂ）コネクタの規格に準拠する。また、第１のコネクタ１は、独立で移動可能な第１のモジュール１ａ及び第２のモジュール１ｂを更に備えるようにしてもよい。第１のモジュール１ａ及び第２のモジュール１ｂは第１のハウジング１ｃに摺動可能且つ収容可能に設置される。第１のモジュール１ａ及び第２のモジュール１ｂのそれぞれは外部に突出する場合、ＵＳＢ２．０のインタフェースとして機能し、第１のモジュール１ａ及び第２のモジュール１ｂのそれぞれはハウジング１ｃの中に収容される場合、ハウジング１ｃの内部に隠蔽に収容されることができるため、ハウジング１ｃにより保護されることができる。また、第１のモジュール１ａ及び第２のモジュール１ｂは、回動可能な方式（例えば上方に回動する若しくは下方に回動する）によりハウジング１ｃに設置されることによって、第１のモジュール１ａ及び第２のモジュール１ｂをＵＳＢ３．０のインタフェースとして共同に機能する、若しくは第１のモジュール１ａのみをＵＳＢ２．０のインタフェースとして機能するようにしてもよい。
【００３５】
＜第１３の実施例＞
図２０及び図２１に示すように、本実施例において、保護カバー２は第１のコネクタ１に移動可能に設置される。保護カバー２のカバー体２１はアダプター３に選択的に被せられる。本実施例において、保護カバー２は２つの結合アーム２２を更に含む。２つの結合アーム２２は、カバー体２１の内部に摺動可能に組み合わされる。２つの結合アーム２２の内側には、枢支接続部２３にそれぞれ形成される。保護カバー２の枢支接続部２３と第１のコネクタ１の摺動溝１２とが摺動するよう組み合わされることによって、保護カバー２を第１のコネクタ１に移動可能に設置させる。また、保護カバー２のカバー体２１は、２つの結合アーム２２に対して移動するようにしてもよい。また、本実施例において、保護カバー２は防護カバー２９を更に含むようにしてもよい。防護カバー２９は、カバー体２１の前端に被せられることによって、第３のコネクタ３２に防塵機能及び耐擦傷機能などの機能を与えることができる。
【００３６】
＜第１４の実施例＞
図２２及び図２３は、本実施例の保護カバー２の外観の変化例を示す。保護カバー２は第１のコネクタ１に移動可能に設置される。保護カバー２のカバー体２１は第１のコネクタ１に選択的に被せられる。保護カバー２は２つの延伸アーム２１３を更に含むようにしてもよい。２つの延伸アーム２１３はアダプター３に移動可能に設置される。２つの延伸アーム２１３の内側には枢支接続部２１４がそれぞれ形成される。アダプター３の両側には、枢支接続部２１４と対応する摺動溝３８が形成される。保護カバー２の枢支接続部２１４とアダプター３の摺動溝３８とが摺動するよう組み合わされることによって、保護カバー２がアダプター３に移動可能に設置される。また、保護カバー２の枢支接続部２１４とアダプター３の摺動溝３８とが摺動するよう組み合わされることによって、アダプター３を２つの延伸アーム２１３の間に移動させると共に異なる方向に回転させることができる。
【００３７】
＜第１５の実施例＞
図２４に示すように、本実施例において、保護カバー２の２つの結合アーム２２の内側には、枢支接続部２３及び摺動溝２６がそれぞれ形成される。また、第１のコネクタ１の両側には、枢支接続部２３と対応する摺動溝１２及び摺動溝２６と対応する枢支接続部１３がそれぞれ形成される。保護カバー２における枢支接続部２３及び摺動溝２６と第１のコネクタ１における摺動溝１２及び枢支接続部１３とが摺動するよう組み合わされることによって、第１のコネクタ１を２つの結合アーム２２の間に移動させると共に異なる方向に回転させることができる。
【００３８】
本発明の保護カバーは、第１のコネクタに移動可能に設けられ、保護カバーのカバー体は第１のコネクタ外面に選択的に被せられるため、第１のコネクタの挿入接続部等の部位を保護することができ、他の物品又は第１のコネクタ自体の破損を招くことを回避することができる。例えば、第１のコネクタを使用しない場合、保護カバーが第１のコネクタ外面に被せられるようにしたことで、第１のコネクタは好ましい保護效果を奏し、他の物品との接触によって第１のコネクタに擦過傷が生じることを防止することができ、それによって第１のコネクタの破損を招くことを回避することができる。また、保護カバーが第１のコネクタ外面に被せられるようにしたことで、第１のコネクタが他の物品に引っ掛かることをも防止することができ、それによって他の物品又はコネクタ自体の破損を招くことを回避することができる。
【００３９】
本発明において、アダプターのコネクタ（第３のコネクタ）の外部に選択的に被せられる防護カバーを含むようにすることによって、アダプターに好ましい防塵機能及び耐擦傷機能を与えることができるため、アダプターの破損を回避することができる。
【００４０】
上記は本発明の好ましい実施例に過ぎず、本発明の特許請求の範囲を限定するものではない。従って、本発明の明細書及び図面の内容を運用することによって為された等価の変更は、すべて本発明の特許請求の範囲に含まれる。
【符号の説明】
【００４１】
１    第１のコネクタ
１ａ  第１のモジュール
１ｂ  第２のモジュール
１ｃ  ハウジング
１１  挿入接続部
１２  摺動溝
１３  枢支接続部
１４  ケーブルクランプ
１４１  蓋体
１４２  ケーブル溝
１４３  干渉部
１４４  摺動溝
２    保護カバー
２１  カバー体
２１１  挿入孔
２１２  スナップフィット部
２１３  延伸アーム
２１４  枢支接続部
２２  結合アーム
２２１  第一部分
２２２  第二部分
２３  枢支接続部
２４  押圧部
２４１  切断溝
２５  滑り止め面
２６  摺動溝
２７  係合接続構造
２８  接続バー
２９  防護カバー
３    アダプター
３１  第２のコネクタ
３２  第３のコネクタ
３３  回路基板
３４  ハウジング
３５  係合接続構造
３６  防護カバー
３７  可撓性接続部
３８  摺動溝
４    ケーブル
５    アダプター
５１  結合アーム
５２  枢支接続部
５３  摺動溝
５４  コネクタ
６    アダプター
６１  コネクタ
【図１】
2014120467.tif 000003
【図２】
2014120467.tif 000004
【図３】
2014120467.tif 000005
【図４】
2014120467.tif 000006
【図５】
2014120467.tif 000007
【図６】
2014120467.tif 000008
【図７】
2014120467.tif 000009
【図８】
2014120467.tif 000010
【図９】
2014120467.tif 000011
【図１０】
2014120467.tif 000012
【図１１】
2014120467.tif 000013
【図１２】
2014120467.tif 000014
【図１３】
2014120467.tif 000015
【図１４】
2014120467.tif 000016
【図１５】
2014120467.tif 000017
【図１６】
2014120467.tif 000018
【図１７】
2014120467.tif 000019
【図１８】
2014120467.tif 000020
【図１９】
2014120467.tif 000021
【図２０】
2014120467.tif 000022
【図２１】
2014120467.tif 000023
【図２２】
2014120467.tif 000024
【図２３】
2014120467.tif 000025
【図２４】
2014120467.tif 000026